(57)【要約】  本発明のフィルター用スパンボンド不織布は、高融点ポリエステルの周りに、前記の高融点ポリエステルの融点よりも１０〜１４０℃低い融点を有する低融点ポリエステルを配した複合型ポリエステル繊維からなるスパンボンド不織布であって、該スパンボンド不織布は表層部と裏層部を有し、該表層部の複合型ポリエステル繊維の単繊維繊度が１ｄｔｅｘ以上３ｄｔｅｘ未満、裏層部の単繊維繊度が３ｄｔｅｘ以上５ｄｔｅｘ以下であり、前記のスパンボンド不織布の目付が１３０〜３００ｇ／ｍ２のフィルター用スパンボンド不織布である。  太繊度層での高い剛性と通気性を有しながら、細繊度層でのダスト払い落とし性にも優れたフィルター用スパンボンド不織布を提供する。【特許請求の範囲】
【請求項１】
高融点ポリエステルの周りに、前記高融点ポリエステルの融点よりも１０〜１４０℃低い融点を有する低融点ポリエステルを配した複合型ポリエステル繊維からなるスパンボンド不織布であって、該スパンボンド不織布は表層部と裏層部を有し、該表層部の複合型ポリエステル繊維の単繊維繊度が１ｄｔｅｘ以上３ｄｔｅｘ未満、裏層部の単繊維繊度が３ｄｔｅｘ以上５ｄｔｅｘ以下であり、前記スパンボンド不織布の目付が１３０〜３００ｇ／ｍ２であるフィルター用スパンボンド不織布。
【請求項２】
複合型ポリエステル繊維の複合形態が、高融点ポリエステルを芯成分とし、低融点ポリエステルを鞘成分とする芯鞘型であり、かつ、前記芯成分と前記鞘成分の芯鞘成分質量比率が９０：１０〜６０：４０である請求項１に記載のフィルター用スパンボンド不織布。
【請求項３】
少なくとも一方の表面に深さ０．１ｍｍ以上の部分的凹部がない請求項１または２のいずれかに記載のフィルター用スパンボンド不織布。
【請求項４】
高融点ポリエステルがポリエチレンテレフタレートであり、かつ低融点ポリエステルが共重合ポリエチレンテレフタレートである請求項１〜３のいずれかに記載のフィルター用スパンボンド不織布。
【請求項５】
下記（ａ）〜（ｄ）の工程を順次施すフィルター用スパンボンド不織布の製造方法。
（ａ）紡糸口金から、高融点ポリエステルの周りに、前記高融点ポリエステルの融点よりも１０〜１４０℃低い融点を有する低融点ポリエステルを配した複合型ポリエステル繊維を紡出する工程。
（ｂ）紡出された複合型ポリエステル繊維を、高速吸引ガスにより吸引延伸し、移動するネットコンベアー上に捕集して、単繊維繊度が１ｄｔｅｘ以上３ｄｔｅｘ未満の表層部と単繊維繊度が３ｄｔｅｘ以上５ｄｔｅｘ以下の裏層部の複合型ポリエステル繊維からなる繊維ウェブを得る工程。
（ｃ）得られた繊維ウェブに、前記低融点ポリエステルの融点よりも高く、かつ前記高融点ポリエステルの融点よりも低い温度の熱風を通過させ、エアスルー熱接着する工程。
（ｄ）前記エアスルー熱接着された繊維ウェブを、一対のフラットロールまたは２台のベルトコンベアの間に挟み込み、前記の低融点ポリエステルの融点よりも５〜７５℃低い温度で熱処理し、目付が１３０〜３００ｇ／ｍ２のスパンボンド不織布を得る工程。
【請求項６】
複合型ポリエステル繊維の複合形態が、高融点ポリエステルを芯成分とし、低融点ポリエステルを鞘成分とする芯鞘型であり、かつ、前記芯成分と前記鞘成分の芯鞘成分質量比率が９０：１０〜６０：４０である請求項５に記載のフィルター用スパンボンド不織布の製造方法。
【請求項７】
高融点ポリエステルがポリエチレンテレフタレートであり、かつ低融点ポリエステルが共重合ポリエチレンテレフタレートである請求項５または６に記載のフィルター用スパンボンド不織布の製造方法。
【発明の詳細な説明】
【技術分野】
【０００１】
本発明は、プリーツフィルターまたはポリテトラフルオロエチレン(ＰＴＦＥ)膜やナノファイバー等の濾材と貼り合わせるプリーツフィルター基材に用いられるフィルター用スパンボンド不織布とその製造方法に関するものである。
【背景技術】
【０００２】
従来から、粉塵の発生する作業環境に対し、粉塵の除去および回収を目的とする集塵機が用いられてきた。この集塵機のフィルターとしては、プリーツされた形状で使用されることが知られており、プリーツすることにより濾過面積を大幅に向上させ、低圧損化や高捕集効率化を可能としている。また、集塵機のフィルターでは、ある一定の圧損に達したところで内側から圧縮エアー等を噴射し、濾材表面に付着したダストを払い落とす、いわゆる逆洗が一般的となっている。【０００３】
したがって、プリーツフィルターとして使用される不織布に必要な特性としては、プリーツを行うための高い剛性と、また低圧損のための通気性、およびダストを表層で濾過し払い落とし性を向上させる緻密性が重要であり、これまで種々の織布および不織布が提案されている。
【先行技術文献】
【特許文献】
【０００４】
エンボスロールで熱接着されたタイプの長繊維不織布を、プリーツフィルターとして使用することが提案されている（特許文献１参照）。【０００５】
一方、エンボスロールとは別の熱接着方法として、不織布に熱風を通過させることにより熱接着させる、いわゆるエアスルー方式が提案されている（特許文献２参照）。【０００６】
また、エアスルー後にカレンダーロールで熱接着する方法が提案されている（特許文献３の実施例参照）。【０００７】
さらに、エンボスロールで熱圧着された異繊度タイプの長繊維不織布をプリーツフィルターとして使用することが提案されている（特許文献４参照）。【０００８】
別に、メルトブロー紡糸したポリプロピレン製の異繊度混繊不織布を３〜５枚を重ねてエアスルー後にカレンダーロールで熱接着する方法が提案されている（特許文献５参照）。
【特許文献１】特許第３５３４０４３号公報
【特許文献２】特開平７−１５７９６０号公報
【特許文献３】特開２００９−６３１８号公報
【特許文献４】特開平１１−１９２４０６号公報
【特許文献５】特開平１１−９０１３５号公報
【発明の概要】
【発明が解決しようとする課題】
【０００９】
しかしながら、特許文献１のようにエンボスロールで熱接着すると、熱接着部分はフィルムライクとなり、通気性が消失し高圧損となる。また、ダスト払い落とし性についても、通気性が無い熱接着部分にダストが堆積しやすくなり、低寿命となるという課題があった。【００１０】
特許文献２のように、エアスルー方式であれば、エンボスロールのような熱接着部が無く、通気性を損なうという課題はないものの、製法上、緻密性に劣ることからダストが内部に入り込みやすく、逆洗ではダストの払い落としができず低寿命となるという課題があった。【００１１】
特許文献３の実施例では、不織布を構成する繊維の融点よりも、はるかに高い温度の熱風で熱処理されていることから、繊維は全て溶けてフィルムライクなシートとなり、通気性に乏しく、プリーツフィルターとして好ましいものではなかった。【００１２】
特許文献４では、１デニール（１．１１１デシテックス）以下のフィラメントで網目を構成されていることから、高い捕集性能は得られるものの、通気性が消失し高圧損となり低寿命となるという課題があった。【００１３】
特許文献５では、不織布を構成する繊維から強度に乏しく、通気性が低く高圧損となるため、プリーツフィルターとして好ましいものではなかった。【００１４】
そこで本発明の目的は、上記課題を鑑み、太繊度層での高い剛性と通気性を有しながら、細繊度層でのダスト払い落とし性にも優れたフィルター用スパンボンド不織布を提供することにある。【００１５】
本発明の他の目的は、上記の性能を有するフィルター用スパンボンド不織布を効率的に、かつ安定して製造する製造方法を提供することにある。
【課題を解決するための手段】
【００１６】
上記課題を解決するため、本発明のフィルター用スパンボンド不織布は、次の構成を有する。すなわち、
高融点ポリエステルの周りに、前記の高融点ポリエステルの融点よりも１０〜１４０℃低い融点を有する低融点ポリエステルを配した複合型ポリエステル繊維からなるスパンボンド不織布であって、該スパンボンド不織布は表層部と裏層部を有し、該表層部の複合型ポリエステル繊維の単繊維繊度が１ｄｔｅｘ以上３ｄｔｅｘ未満、裏層部の単繊維繊度が３ｄｔｅｘ以上５ｄｔｅｘ以下であり、前記のスパンボンド不織布の目付が１３０〜３００ｇ／ｍ２であるフィルター用スパンボンド不織布、である。【００１７】
また、本発明のフィルター用スパンボンド不織布の製造方法は、次の構成を有する。すなわち、
下記（ａ）〜（ｄ）の工程を順次施すフィルター用スパンボンド不織布の製造方法、である。
（ａ）紡糸口金から、高融点ポリエステルの周りに、該高融点ポリエステルの融点よりも１０〜１４０℃低い融点を有する低融点ポリエステルを配した複合型ポリエステル繊維を紡出する工程。
（ｂ）紡出された複合型ポリエステル繊維を、高速吸引ガスにより吸引延伸し、移動するネットコンベアー上に捕集して、単繊維繊度１ｄｔｅｘ以上３ｄｔｅｘ未満の表層部と単繊維繊度３ｄｔｅｘ以上５ｄｔｅｘ以下の裏層部の複合型ポリエステル繊維からなる繊維ウェブを得る工程。
（ｃ）得られた繊維ウェブに、低融点ポリエステルの融点よりも高く、かつ高融点ポリエステルの融点よりも低い温度の熱風を通過させ、エアスルー熱接着する工程。
（ｄ）前記のエアスルー熱接着された繊維ウェブを、一対のフラットロールまたは２台のベルトコンベアの間に挟み込み、前記の低融点ポリエステルの融点よりも５〜７５℃低い温度で熱処理し、目付が１３０〜３００ｇ／ｍ２のスパンボンド不織布を得る工程。【００１８】
本発明のフィルター用スパンボンド不織布の好ましい態様によれば、前記の複合型ポリエステル繊維の複合形態は、前記の高融点ポリエステルを芯成分とし、前記の低融点ポリエステルを鞘成分とする芯鞘型であり、かつ、前記の芯成分と前記の鞘成分の芯鞘成分質量比率が９０：１０〜６０：４０である。【００１９】
本発明のフィルター用スパンボンド不織布の好ましい態様によれば、前記フィルター用スパンボンド不織布の少なくとも一方の表面に、深さ０．１ｍｍ以上の部分的凹部がないことである。【００２０】
本発明のフィルター用スパンボンド不織布の好ましい態様によれば、前記の高融点ポリエステルはポリエチレンテレフタレートであり、かつ低融点ポリエステルは共重合ポリエチレンテレフタレートである。【００２１】
本発明のフィルター用スパンボンド不織布製造方法の好ましい態様によれば、前記の複合型ポリエステル繊維の複合形態は、前記の高融点ポリエステルを芯成分とし、前記の低融点ポリエステルを鞘成分とする芯鞘型であり、かつ、前記の芯成分と前記の鞘成分の芯鞘成分質量比率が９０：１０〜６０：４０であることである。【００２２】
本発明のフィルター用スパンボンド不織布製造方法の好ましい態様によれば、前記の高融点ポリエステルはポリエチレンテレフタレートであり、かつ低融点ポリエステルは共重合ポリエチレンテレフタレートである。
【発明の効果】
【００２３】
本発明によれば、太繊度層での高い剛性と通気性を有しながら、細繊度層でのダスト払い落とし性にも優れたフィルター用スパンボンド不織布が得られる。このため、本発明のフィルター用スパンボンド不織布は、プリーツフィルターやＰＴＦＥ膜やナノファイバー等の濾材と貼り合わせるプリーツフィルター基材として好適に用いることができる。【００２４】
また本発明のフィルター用スパンボンド不織布の製造方法によれば、効率的に、かつ安定して上記の性能を有するフィルター用スパンボンド不織布を製造することができる。
【図面の簡単な説明】
【００２５】
【図１】ダスト払い落とし性評価装置を説明するための概略側面図である。
【発明を実施するための形態】
【００２６】
次に、本発明のフィルター用スパンボンド不織布について、詳細に説明する。
【００２７】
本発明のフィルター用スパンボンド不織布は、高融点ポリエステルの周りに、前記の高融点ポリエステルの融点よりも１０〜１４０℃低い融点を有する低融点ポリエステルを配した複合型ポリエステル繊維からなるスパンボンド不織布であって、該スパンボンド不織布は表層部と裏層部を有し、該表層部の複合型ポリエステル繊維の単繊維繊度が１ｄｔｅｘ以上３ｄｔｅｘ未満、裏層部の単繊維繊度が３ｄｔｅｘ以上５ｄｔｅｘ以下であり、前記のスパンボンド不織布の目付が１３０〜３００ｇ／ｍ２である。
【００２８】
本発明において、表層部とはフィルター用スパンボンド不織布をフィルターとして用いる際のダスト捕集面側であり、裏層部とは、表層部と反対の面のことを指すものである。
【００２９】
また、本発明のフィルター用スパンボンド不織布は、見掛け密度が０．２５〜０．４０ｇ／ｃｍ３、目付あたりの通気量が０．０５〜０．５０（ｃｍ３／ｃｍ２・ｓｅｃ）／（ｇ／ｍ２）で、かつ、目付あたりの剛軟度がタテ方向とヨコ方向の少なくともどちらか一方が０．０８〜０．３２（ｍＮ）／（ｇ／ｍ２）であることが好ましい。
【００３０】
本発明のフィルター用スパンボンド不織布を構成する合成繊維の原料樹脂としては、ポリエステルが用いられる。ポリエステルは、酸成分とアルコール成分をモノマーとしてなる高分子重合体である。酸成分としては、テレフタル酸、イソフタル酸およびフタル酸等の芳香族カルボン酸、アジピン酸やセバシン酸等の脂肪族ジカルボン酸、およびシクロヘキサンカルボン酸等の脂環族ジカルボン酸等を用いることができる。また、アルコール成分としては、エチレングリコール、ジエチレングリコールおよびポリエチレングリコール等を用いることができる。
【００３１】
また、ポリエステルの例としては、ポリエチレンテレフタレート（ＰＥＴ）、ポリブチレンテレフタレート（ＰＢＴ）、ポリトリメチレンテレフタレート（ＰＴＴ）、ポリエチレンナフタレート、ポリ乳酸およびポリブチレンサクシネート等が挙げられるが、高融点ポリエステルとしては、融点が高く耐熱性に優れ、かつ剛性にも優れたＰＥＴが最も好ましく用いられる。
【００３２】
本発明で用いられる高融点ポリエステルと低融点ポリエステルの組み合わせ（高融点ポリエステル／低融点ポリエステル）としては、例えば、ＰＥＴ／ＰＢＴ、ＰＥＴ／ＰＴＴ、ＰＥＴ／ポリ乳酸、およびＰＥＴ／共重合ＰＥＴ等の組み合わせを挙げることができ、これらの中でも、紡糸性に優れることからＰＥＴ／共重合ＰＥＴの組み合わせが好ましく用いられる。また、共重合ＰＥＴの共重合成分としては、特に紡糸性に優れることから、イソフタル酸共重合ＰＥＴが好ましく用いられる。
【００３３】
また、ポリエステル原料には、本発明の効果を損なわない範囲で、結晶核剤、艶消し剤、顔料、防カビ剤、抗菌剤、難燃剤、および親水剤等を添加することができる。中でも、酸化チタン等の金属酸化物は、繊維の表面摩擦を低減し繊維同士の融着を防ぐことにより紡糸性を向上し、また不織布の熱ロールによる熱圧着成形の際、熱伝導性を増すことにより不織布の接着性を向上させる効果がある。また、エチレンビスステアリン酸アミド等の脂肪族ビスアミドおよび／またはアルキル置換型の脂肪族モノアミドは、熱ロールと不織布ウェブ間の離型性を高め、搬送性を向上させる効果がある。
【００３４】
また、本発明のフィルター用スパンボンド不織布を構成するポリエステル繊維は、高融点ポリエステルの周りに、その高融点ポリエステルの融点よりも１０〜１４０℃低い融点を有する低融点ポリエステルを配した複合型ポリエステル繊維である。高融点ポリエステルの周りに、その高融点ポリエステルの融点よりも１０〜１４０℃低い融点を有する低融点ポリエステルを配することにより、熱接着によりスパンボンド不織布を形成し使用した際、スパンボンド不織布を構成する複合型ポリエステル繊維（フィラメント）同士が強固に接着するため、フィルター用スパンボンド不織布は機械強度に優れ、繰り返しの逆洗に十分耐えることができる。
【００３５】
一方、高融点ポリエステル繊維と低融点ポリエステル繊維を混繊させる方法もあるが、混繊させる方法の場合、均一な熱接着が難しく、例えば、高融点ポリエステル繊維が密集しているところでは熱接着が弱くなり、機械的強度や剛性が劣り、プリーツフィルターとして適さないものとなる。また、同じ複合型ポリエステル繊維であっても、フィラメント（長繊維）からなるスパンボンド不織布ではなく短繊維からなる不織布である場合、非連続の繊維で構成されているため、剛性や機械的強度が劣り、プリーツフィルターとして好ましくないものとなる。さらに、低融点成分を複合成分とするのではなく、接着成分を浸漬やスプレー等で付与する方法もあるが、いずれも表層や厚み方向で均一な付与が難しく、機械的強度や剛性が劣り、プリーツフィルターとして好ましくないものとなる。
【００３６】
本発明における低融点ポリエステルの融点は、高融点ポリエステルの融点より１０℃以上低くなければ所望の熱接着性を得ることができず、高融点ポリエステルの融点より１４０℃を超えて低ければ耐熱性の低下を抑制することができない。本発明で用いられる高融点ポリエステルと低融点ポリエステルの融点差のより好ましい範囲は２０〜１２０℃であり、さらに好ましい範囲は３０〜１００℃である。
【００３７】
高融点ポリエステルの融点は、２００〜３２０℃の範囲であることが好ましい。高融点ポリエステルの融点を好ましくは２００℃以上、より好ましくは２１０℃以上、さらに好ましくは２２０℃以上とすることにより、耐熱性に優れるフィルターを得ることができる。一方、高融点ポリエステルの融点を好ましくは３２０℃以下、より好ましくは３００℃以下、さらに好ましくは２８０℃以下とすることにより、不織布製造時に溶融するための熱エネルギーを多大に消費し生産性が低下することを抑制することができる。
【００３８】
また、低融点ポリエステルの融点は、１６０〜２５０℃の範囲であることが好ましい。低融点ポリエステルの融点を好ましくは１６０℃以上、より好ましくは１７０℃以上、さらに好ましくは１８０℃以上とすることにより、プリーツ加工時の熱セット等、プリーツフィルター製造時に熱が加わる工程を通過しても形態安定性に優れる。一方、低融点ポリエステルの融点を好ましくは２５０℃以下、より好ましくは２４０℃以下とすることにより、不織布製造時の熱接着性に優れ、機械的強度に優れるフィルターを得ることができる。
【００３９】
また、高融点ポリエステルと低融点ポリエステルとの含有比率は、質量比で９０：１０〜６０：４０の範囲であることが好ましく、８５：１５〜７０：３０の範囲がより好ましい態様である。高融点ポリエステルを６０〜９０質量％とすることにより、スパンボンド不織布の剛性と耐熱性を優れたものとすることができる。一方、低融点ポリエステルを１０〜４０質量％とすることにより、熱接着によりスパンボンド不織布を形成し使用した際、スパンボンド不織布を構成する複合型ポリエステル繊維（フィラメント）同士が強固に接着でき、機械強度に優れ、繰り返しの逆洗に十分耐えることができる。
【００４０】
複合型ポリエステル繊維の複合形態については、例えば、同心芯鞘型、偏心芯鞘型および海島型等が挙げられ、なかでも、フィラメント同士を均一かつ強固に接着させることができることから複合形態については同心芯鞘型のものが好ましい。さらにそのフィラメント（単繊維）の断面形状としては、円形断面、扁平断面、多角形断面、多葉断面および中空断面等の形状が挙げられる。なかでも、フィラメント（単繊維）の断面形状としては円形断面の形状のものを用いることが好ましい態様である。
【００４１】
本発明のフィルター用スパンボンド不織布は、少なくとも一方の表面に深さが０．１ｍｍ以上の部分的凹部がないことが好ましく、両方の表面に深さが０．１ｍｍ以上の部分的凹部がないことがより好ましい態様である。部分的凹部は、エンボスロールや超音波接着による部分熱圧着等で繊維が厚み方向に密に充填することで生じるものである。深さが０．１ｍｍ以上の部分的凹部とは、スパンボンド不織布表面を鉛直方向から見たとき、長さが３〜１０ｍｍの直線上で測定した表面形状において、毛羽等で単糸が飛び出している部分を除いて、その最も高さの高い部分を基準点（深さ０ｍｍ）として、厚み方向に深さ０．１ｍｍ以上である凹み部分が、面方向に０．２ｍｍ以上連続して存在する箇所を指す。
【００４２】
この部分的凹部は、形状解析レーザ顕微鏡や３Ｄ形状測定機等の非接触式の形状測定機器を使用して表面形状を測定したり、走査型電子顕微鏡を使用してスパンボンド不織布の断面の厚みを測定したりすることにより測定することができる。このような部分的凹部がないことにより、ダストの払い落とし性を向上させ、より長寿命のフィルターとすることができる。
【００４３】
部分的凹部がないスパンボンド不織布は、高融点ポリエステルの周りに、その高融点ポリエステルの融点よりも１０〜１４０℃低い融点を有する低融点ポリエステルを配した複合型ポリエステル繊維からなる繊維ウェブに対し、低融点ポリエステルの融点よりも高く、かつ高融点ポリエステルの融点よりも低い温度の熱風を通過させ、エアスルー熱接着した後、一対のフラットロールまたは２台のベルトコンベアの間に挟み込み、低融点ポリエステルの融点よりも５〜７５℃低い温度で熱処理することにより得られる。
【００４４】
本発明において、フィルター用スパンボンド不織布を構成する表層部の複合型ポリエステル繊維の単繊維繊度は、１ｄｔｅｘ以上３ｄｔｅｘ未満、裏層部の単繊維繊度は、３ｄｔｅｘ以上５ｄｔｅｘ以下の範囲である。表層部の複合型ポリエステル繊維の単繊維繊度が１ｄｔｅｘを下回る場合は、スパンボンド不織布の通気性低下に伴い圧力損失が高くなる傾向であり、さらに生産時に糸切れが生じやすいなど生産安定性に劣る。表層部の複合型ポリエステル繊維の単繊維繊度が３ｄｔｅｘ以上の場合は、緻密性に劣ることからダストが内部に入り込みやすくなり堆積する問題がある。また、裏層部の複合型ポリエステル繊維の単繊維繊度が３ｄｔｅｘを下回る場合は、圧力損失が高くなる傾向であり、ダスト払い落とし性が劣り低寿命となる。裏層部の複合型ポリエステル繊維の単繊維繊度が５ｄｔｅｘを超える場合は、スパンボンド不織布の均一性低下に伴い捕集性能が低下する傾向であり、さらに生産時にフィラメントの冷却不良による糸切れが生じやすいなど生産安定性に劣る。
【００４５】
複合型ポリエステル繊維のより好ましい表層部の単繊維繊度の範囲は、１．２ｄｔｅｘ以上２．９ｄｔｅｘ以下の範囲である。単繊維繊度を１．２ｄｔｅｘ以上２．９ｄｔｅｘ以下とすることにより、不織布表面を緻密化し、ダストを表層で濾過しやすくすることができる。また、より好ましい裏層部の単繊維繊度の範囲は、３．０ｄｔｅｘ以上４．５ｄｔｅｘ以下の範囲である。単繊維繊度を３．０ｄｔｅｘ以上４．５ｄｔｅｘ以下とすることにより、より通気性に優れ、圧損の低いスパンボンド不織布とすることができる。このように表層部に細繊度、裏層部に太繊度を積層することにより、集塵性能を向上させることができるとともに、ダスト払い落とし性も向上するため、フィルターを長寿命とすることができる。
【００４６】
ここでいう単繊維繊度は、次のようにして求めた値を言う。すなわち、スパンボンド不織布からランダムに小片サンプル１０個を採取し、走査型電子顕微鏡等で５００〜３０００倍の写真を撮影し、各サンプルから１０本ずつ、計１００本の繊維を任意に選び出して、その太さを測定する。繊維は断面が円形と仮定し、太さを繊維径とする。それらの平均値の小数点以下第一位を四捨五入して算出した繊維径とポリマーの密度から繊度を算出し、小数点第一位を四捨五入して求める。
【００４７】
本発明におけるフィルター用スパンボンド不織布の目付は、１３０〜３００ｇ／ｍ２の範囲である。目付が１３０ｇ／ｍ２に満たないと、プリーツに必要な剛性を得ることができない。また、目付が３００ｇ／ｍ２を超える場合には、圧力損失が上昇するのを抑制できず、さらにはコスト面でも劣る。より好ましい目付の範囲は、１３０〜２６０ｇ／ｍ２であり、さらに好ましくは１５０〜２４０ｇ／ｍ２である。
【００４８】
ここでいう目付は、縦５０ｃｍ×横５０ｃｍのサイズの試料を、３個採取して各質量をそれぞれ測定し、得られた値の平均値を単位面積当たりに換算し、小数点以下第一位を四捨五入することにより求められる。
【００４９】
本発明におけるフィルター用スパンボンド不織布の厚みは、０．３５〜１．２ｍｍであることが好ましく、より好ましくは０．３８〜１．０ｍｍ、さらに好ましくは０．４０〜０．８ｍｍである。厚みを０．３５ｍｍ以上とすることにより、剛性を向上させ、フィルターとしての使用に適した不織布とすることができる。また、厚みを１．２ｍｍ以下とすることにより、フィルターとしてのハンドリング性や加工性に優れた不織布とすることができる。
【００５０】
本発明におけるフィルター用スパンボンド不織布の見掛け密度は、０．２５〜０．４０ｇ／ｃｍ３であることが好ましい。見掛け密度が０．２５〜０．４０ｇ／ｃｍ３であると、スパンボンド不織布は緻密な構造となりダストが内部に入りにくく、ダスト払い落とし性に優れる。より好ましい見掛け密度の範囲は、０．２７〜０．４０ｇ／ｃｍ３であり、さらに好ましくは０．３０〜０．４０ｇ／ｃｍ３の範囲である。ここで、見掛け密度は、次式で算出される。
・見掛け密度（ｇ／ｃｍ３）＝目付（ｇ／ｍ２）／厚み（ｍｍ）／１０００
本発明におけるフィルター用スパンボンド不織布の目付あたりの通気量は、０．０５〜０．５０（（ｃｍ３／ｃｍ２・ｓｅｃ）／（ｇ／ｍ２））であることが好ましい。目付あたりの通気量が０．０５（（ｃｍ３／ｃｍ２・ｓｅｃ）／（ｇ／ｍ２））以上であると、圧力損失が上昇するのを抑制できる。また、目付あたりの通気量が０．５０（（ｃｍ３／ｃｍ２・ｓｅｃ）／（ｇ／ｍ２））以下であると、ダストが内部に滞留しにくいことによりダスト払い落とし性が良好である。より好ましい目付当たりの通気量は０．１０〜０．４８（（ｃｍ３／ｃｍ２・ｓｅｃ）／（ｇ／ｍ２））であり、さらに好ましい目付当たりの通気量は０．１５〜０．４５（（ｃｍ３／ｃｍ２・ｓｅｃ）／（ｇ／ｍ２））である。
【００５１】
ここで、目付あたりの通気量は、次式で算出される。
【００５２】
目付あたりの通気量（（ｃｍ３／ｃｍ２・ｓｅｃ）／（ｇ／ｍ２））＝通気量（ｃｍ３／ｃｍ２・ｓｅｃ）／目付（ｇ／ｍ２）
本発明におけるフィルター用スパンボンド不織布の目付あたりの剛軟度は、タテ方向とヨコ方向の少なくともどちらか一方が、０．０８〜０．３２（（ｍＮ）／（ｇ／ｍ２））であることが好ましい。目付あたりの剛軟度が０．０８（（ｍＮ）／（ｇ／ｍ２））以上であると、プリーツ性に優れ、また逆洗時にフィルター用スパンボンド不織布が変形し難くなる。また、目付あたりの剛軟度が０．３２（ｍＮ）／（ｇ／ｍ２））以下であると、フィルター用スパンボンド不織布を巻き取った際に折れ目が付き難く、高品位となる。
【００５３】
ここで、目付あたりの剛軟度は、次式で算出される。
【００５４】
目付あたりの剛軟度（（ｍＮ）／（ｇ／ｍ２））＝剛軟度（ｍＮ）／目付（ｇ／ｍ２）
ここで、本発明において、タテ方向とはスパンボンド不織布製造時のシート搬送方向、すなわち不織布ロールにおける巻き取り方向を指し、ヨコ方向とはスパンボンド不織布製造時のシート搬送方向と直交する方向、すなわち不織布ロールにおける幅方向を指すものである。ただし、本発明のスパンボンド不織布の目付あたりの剛軟度は、タテ方向とヨコ方向の少なくともどちらか一方が、０．０８〜０．３２（（ｍＮ）／（ｇ／ｍ２））であることが好ましく、両方向の測定が可能であれば、シートのタテ方向、ヨコ方向の判別は必要ではない。
【００５５】
本発明のフィルター用スパンボンド不織布の目付あたりのタテ方向の引張強力（以降、目付あたりのタテ引張強力と表記することがある。）は、３．２（Ｎ／５ｃｍ）／（ｇ／ｍ２）以上であることが好ましく、より好ましくは３．５（Ｎ／５ｃｍ）／（ｇ／ｍ２）以上であり、さらに好ましくは３．８（Ｎ／５ｃｍ）／（ｇ／ｍ２）以上である。また、目付あたりのヨコ方向の引張強力（以降、目付あたりのヨコ引張強力と表記することがある。）は、２．０（Ｎ／５ｃｍ）／（ｇ／ｍ２）以上であることが好ましく、より好ましくは２．３（Ｎ／５ｃｍ）／（ｇ／ｍ２）以上であり、さらに好ましくは２．５（Ｎ／５ｃｍ）／（ｇ／ｍ２）以上である。
【００５６】
タテ引張強力とヨコ引張強力を、このようにすることにより、フィルターとして実用に供しうる機械強度を付与し、耐久性に優れたフィルターとすることができる。ここで、目付あたりの引張強力は、次式で算出される。
【００５７】
目付あたりの引張強力（（Ｎ／５ｃｍ）／（ｇ／ｍ２））＝引張強力（Ｎ／５ｃｍ）／目付（ｇ／ｍ２）
上記のとおり、本発明のフィルター用スパンボンド不織布は、上記のように、特定の目付、表裏部の単繊維繊度、見掛け密度、通気量および剛軟度とすることにより、低圧損で、かつダスト払い落とし性にも優れ、従来技術では達成し得なかった長寿命なフィルターとして好適で有用なフィルター用スパンボンド不織布を得ることができる。
【００５８】
次に、本発明のフィルター用スパンボンド不織布の製造方法について説明する。本発明のフィルター用スパンボンド不織布は、下記（ａ）〜（ｄ）の工程を順次施すことによって製造される。
（ａ）紡糸口金から、高融点ポリエステルの周りに、該高融点ポリエステルの融点よりも１０〜１４０℃低い融点を有する低融点ポリエステルを配した複合型ポリエステル繊維を紡出する工程。
（ｂ）紡出された複合型ポリエステル繊維を、高速吸引ガスにより吸引延伸し、移動するネットコンベアー上に捕集して、単繊維繊度１ｄｔｅｘ以上３ｄｔｅｘ未満の表層部と単繊維繊度３ｄｔｅｘ以上５ｄｔｅｘ以下の裏層部の複合型ポリエステル繊維からなる繊維ウェブを得る工程。
（ｃ）得られた繊維ウェブに、低融点ポリエステルの融点よりも高く、かつ高融点ポリエステルの融点よりも低い温度の熱風を通過させ、エアスルー熱接着する工程。
（ｄ）前記のエアスルー熱接着された繊維ウェブを、一対のフラットロールまたは２台のベルトコンベアの間に挟み込み、前記の低融点ポリエステルの融点よりも５〜７５℃低い温度で熱処理し、目付が１３０〜３００ｇ／ｍ２のスパンボンド不織布を得る工程。
【００５９】
本発明のフィルター用スパンボンド不織布は、いわゆるスパンボンド法によって得られるものであり、スパンボンド法で採取した繊維ウェブを、エアスルー法によって低融点ポリエステルを溶融し、繊維同士を接着した後、さらに緻密化する熱処理を実施する方法が適用される。
【００６０】
本発明のフィルター用スパンボンド不織布の製造方法では、ネットコンベアー上に捕集した繊維ウェブを、仮接着することも好ましい態様である。仮接着は、捕集した繊維ウェブを一対のフラットロールにより熱圧着したり、ネットコンベアー上にフラットロールを設置し、ネットコンベアーと当該フラットロールとの間で熱圧着したりする方法が好ましく用いられる。仮接着するための熱圧着の温度は、低融点ポリエステルの融点よりも７０〜１２０℃低い温度であることが好ましい。このように温度設定することにより、繊維同士を過度に接着させることなく、搬送性を改善することができる。
【００６１】
本発明における繊維ウェブを得る方法では、ネットコンベアー上に単繊維繊度１ｄｔｅｘ以上３ｄｔｅｘ未満の繊維ウェブを捕集した上に単繊維繊度３ｄｔｅｘ以上５ｄｔｅｘ以下の繊維ウェブを捕集して積層することが好ましい。また、ネットコンベアー上に単繊維繊度３ｄｔｅｘ以上５ｄｔｅｘ以下の繊維ウェブを捕集した上に単繊維繊度１ｄｔｅｘ以上３ｄｔｅｘ未満の繊維ウェブを捕集して積層してもよい。さらに、単繊維繊度１ｄｔｅｘ以上３ｄｔｅｘ未満の繊維ウェブを仮接着したシートと単繊維繊度３ｄｔｅｘ以上５ｄｔｅｘ以下の繊維ウェブを仮接着したシートを積層させて得ることができる。
【００６２】
本発明における熱接着による一体化処理では、エンボスロールを適用しないことが好ましい。エンボスロールを用いて熱接着する場合、前述のとおり、熱接着部の繊維が溶融してフィルムライクとなり、通気性が消失するだけでなく、捕集性も低下してしまう。さらに、ダスト払い落とし性についても、通気性が無い熱接着部にダストが堆積し、低寿命となるという課題がある。
【００６３】
本発明におけるエアスルー法とは、スパンボンド法によって得られた繊維ウェブに熱風を通過させるものであり、その際熱風の温度は、低融点ポリエステルの融点よりも高く、高融点ポリエステルの融点よりも低いことが重要である。熱風温度の範囲は、好ましくは低融点ポリエステルの融点＋５℃〜高融点ポリエステルの融点−５℃である。熱風温度が低融点ポリエステルよりも低い場合、繊維同士を融着することが難しく、機械的強度に劣る。また、熱風温度が高融点ポリエステルよりも高い温度の場合、スパンボンド不織布を構成する全ての繊維が溶融してしまい、フィルムライクなシートとなり、通気性に乏しく、プリーツフィルターとして用いるのが難しい。
【００６４】
本発明では、エアスルー法で熱接着した繊維をさらに緻密化することが重要である。エアスルー法で得られる繊維ウェブは、嵩高で低密度な構造となっており、プリーツフィルターとして用いた場合、通気性が高く、ダストが内部まで入り込み、圧縮エアーでは払い落としができず、低寿命となるという課題があり、本発明では、特に繊維シートの表面を緻密化することにより、エアスルー法の特徴である通気性を維持しつつ、繊維ウェブの表層での濾過を可能とし、払い落とし性を向上させるものである。
【００６５】
本発明のエアスルー熱接着は、繊維ウェブを全面把持した状態で行うことが好ましい。このようにすることにより、熱接着過程において繊維ウェブが収縮し、シワが発生したり、品位が悪化したりすることを防ぐことができる。繊維ウェブを全面把持する方法は、上下一組のコンベアネットの間を通し、コンベアネットを繊維ウェブの両面に接触させる方法や、張力をかけた状態でエアスルードラムに接触させ、ドラムとの摩擦力により把持する方法が好ましく用いられる。
【００６６】
緻密化の方法としては、一対のフラットロールを用いて繊維ウェブの表面の繊維同士を熱接着により緻密化する方法や、また樹脂ベルトからなる２台のベルトコンベアの間に繊維シートを挟み込んで熱処理する方法が挙げられる。特に、ベルトコンベアの間に繊維ウェブを挟み込んで熱処理する方法は、積極的に圧力を加えることなく、比較的長い時間をかけて熱処理できるため、繊維ウェブの表面のみを緻密化することができ、好ましい方法である。
【００６７】
本発明において一対のフラットロールまたは２台のベルトコンベアにより熱処理する場合の温度は、スパンボンド不織布の繊維表面に存在する低融点ポリエステルの融点より５〜７５℃低いことが重要であり、１０〜７０℃低いことが好ましく、２０〜６０℃低いことがより好ましい態様である。一対のフラットロールまたは２台のベルトコンベアによる熱処理温度が、スパンボンド不織布の繊維表面に存在する低融点ポリエステルの融点５℃以上低くない場合は、過度な熱接着となり、本発明で規定する特定の密度範囲の下限よりも小さくなる。また、一対のフラットロールまたは２台のベルトコンベアによる熱処理場合温度がスパンボンド不織布の繊維表面に存在する低融点ポリエステルの融点より７５℃以上下回る場合は、熱接着が弱くなり、表面の緻密化が不十分となり、本発明で規定する特定の密度範囲の上限よりも大きくなる。
【００６８】
本発明のフィルター用スパンボンド不織布は、ダスト払い落とし性試験における運転時間が１，０００〜５，０００時間のものが好ましく、１，５００〜４，０００時間のものがより好ましく、２，０００〜３，５００時間のものがさらに好ましい。ここでダスト払い落とし性試験は以下の方法、あるいはこれと同等の結果が得られる測定方法で測定されるものである。すなわち不織布の任意の部分から、１５ｃｍ×１５ｃｍのサンプルを３個採取し、それぞれの試験装置は、図１に示すように、試験サンプルＭをセットするサンプルホルダー１の上流側にダスト供給装置５が連結され、下流側に流量計２、流量調整バルブ３、ブロワ４、およびパルスジェット装置６を連結した構成となっている。試験サンプルの評価面積は、０．０１ ｍ２とした。また、サンプルホルダー１に圧力計７が接続されており、試験サンプルＭの圧力損失が測定できるようになっている。払い落とし性の試験にあたっては、ダスト供給装置５からＪＩＳ１５種の標準粉体を２０ｇ／ｍ３の濃度になるように供給し、フィルター通過速度が１．５ｍ／分になるように流量調整バルブ３で風量を調整して、ダストを一定濃度で連続的に供給し、試験サンプルＭの圧力損失が１，５００Ｐａに到達したら、パルスジェット装置６から、０．５ＭＰａの圧縮空気を０．１ｓｅｃ噴射し、試験サンプルＭに付着した粉塵（ダスト）を払い落とした。この払い落とし回数が２００回に到達するまでの運転時間（ｈｒ）をそれぞれ測定し、３回の試験結果の平均値を求め、一の位を四捨五入して運転時間（ｈｒ）とするものである。
【実施例】
【００６９】
次に、実施例に基づき本発明のフィルター用スパンボンド不織布とその製造方法について具体的に説明する。下記の実施例における各特性値は、次の方法で測定したものである。【００７０】
（１）ポリエステルの融点（℃）
パーキンエルマ社製示差走査型熱量計ＤＳＣ−２型を用い、昇温速度２０℃／分の条件で測定し、得られた融解吸熱曲線において極値を与える温度をポリエステルの融点とした。また、示差走査型熱量計において融解吸熱曲線が極値を示さない樹脂については、ホットプレート上で加熱し、顕微鏡観察により樹脂が溶融した温度を融点とした。【００７１】
（２）ポリエステルの固有粘度ＩＶ
ポリエステルの固有粘度は、次の方法で測定した。
オルソクロロフェノール１００ｍＬに対し試料８ｇを溶解し、温度２５℃においてオストワルド粘度計を用いて相対粘度ηｒを、下記式により求めた。【００７２】
ηｒ＝η／η０＝（ｔ×ｄ）／（ｔ０×ｄ０）
（ここで、ηはポリマー溶液の粘度、η０はオルソクロロフェノールの粘度、ｔは溶液の落下時間（秒）、ｄは溶液の密度（ｇ／ｃｍ３）、ｔ０はオルソクロロフェノールの落下時間（秒）、ｄ０はオルソクロロフェノールの密度（ｇ／ｃｍ３）を、それぞれ表す。）
次いで、相対粘度ηｒから、下記式により固有粘度ＩＶを算出した。【００７３】
ＩＶ＝０．０２４２ηｒ＋０．２６３４。【００７４】
（３）単繊維繊度（デシテックス）
スパンボンド不織布からランダムに小片サンプル１０個を採取し、走査型電子顕微鏡で５００〜３，０００倍の写真を撮影し、各小片サンプルから１０本ずつ、計１００本の繊維を任意に選び出し、その太さを測定する。繊維は断面が円形と仮定し、太さを繊維径とする。それらの平均値の小数点以下第一位を四捨五入して算出した繊維径とポリマーの密度から単繊維繊度を算出し、小数点第一位を四捨五入して求める。【００７５】
（４）不織布の目付（ｇ／ｍ２）
縦方向５０ｃｍ×横方向５０ｃｍの試料を３個採取して、各試料の質量をそれぞれ測定し、得られた値の平均値を単位面積当たりに換算し、小数点以下第一位を四捨五入した。【００７６】
（５）不織布の厚み（ｍｍ）
厚み計（テクロック社製“ＴＥＣＬＯＣＫ”（登録商標）ＳＭ−１１４）を使用して、不織布の厚みを幅方向等間隔に１０点測定し、その平均値から小数点以下第３位を四捨五入し、厚みとした。【００７７】
（６）不織布の見掛け密度（ｇ／ｃｍ３）
上記（５）で得られた厚みと上記（４）で得られた目付を用いて、次の式により、見掛け密度を算出し、小数点第３位を四捨五入した。【００７８】
見掛け密度（ｇ／ｃｍ３）＝目付（ｇ／ｍ２）／厚み（ｍｍ）／１，０００
（７）不織布の通気量（ｃｍ３／ｃｍ２・ｓｅｃ）
スパンボンド不織布の任意の部分から、１０ｃｍ×１０ｃｍのサンプルを１０個採取し、ＪＩＳ  Ｌ  １９１３（２０１０年度版）に基づき、フラジール形法によって測定した。測定時の設定圧は、１２５Ｐａとした。通気量は、得られた１０点の通気量の平均値を小数点以下第一位を四捨五入して算出する。【００７９】
（８）不織布の目付あたりの通気量（（ｃｍ３／ｃｍ２・ｓｅｃ）／（ｇ／ｍ２））
上記（７）の通気量で得られた通気量の値を、上記（４）の目付で得られた目付の値で除し、目付当たりの通気量を小数点以下第四位を四捨五入し、算出する。【００８０】
（９）不織布の剛軟度（ｍＮ）
剛軟度は、ＪＩＳ  Ｌ  １９１３（２０１０年度版）の６．７．４に記載のガーレ法に準じて測定し、求める。【００８１】
（１０）不織布の目付あたりの剛軟度（（ｍＮ）／（ｇ／ｍ２））
上記（９）の剛軟度で得られた剛軟度の値を、上記（４）の目付で得られた目付の値で除し、目付あたりの剛軟度を、小数点以下第四位を四捨五入し、算出する。【００８２】
（１１）不織布の引張強力（Ｎ／５ｃｍ）
不織布の引張強力は、ＪＩＳ  Ｌ  １９１３（２０１０年版）の６．３．１に基づいて、タテ方向とヨコ方向を長辺とした５ｃｍ×３０ｃｍの試験片を、それぞれ幅方向等間隔に１ｍあたり３点採取し、定速伸長型引張試験機を用いて、つかみ間隔が２０ｃｍで、引張速度が１０ｃｍ／分の条件で引張試験を実施した。破断したときの強力を読み取り、少数点以下第一位を四捨五入した値を引張強力（Ｎ／５ｃｍ）とした。【００８３】
（１２）不織布の目付あたりの引張強力（（ｍＮ）／（ｇ／ｍ２））
上記（１１）の引張強力で得られた引張強力の値を、上記（４）の目付で得られた目付の値で除し、タテ方向とヨコ方向について、それぞれの目付あたりの引張強度を、小数点以下第二位を四捨五入し、算出する。【００８４】
（１３）不織布のダスト払い落とし試験
不織布の任意の部分から、１５ｃｍ×１５ｃｍのサンプルを３個採取し、それぞれの試験装置は、図１に示すように、試験サンプルＭをセットするサンプルホルダー１の上流側にダスト供給装置５が連結され、下流側に流量計２、流量調整バルブ３、ブロワ４、およびパルスジェット装置６を連結した構成となっている。試験サンプルの評価面積は、０．０１ ｍ２とした。また、サンプルホルダー１に圧力計７が接続されており、試験サンプルＭの圧力損失が測定できるようになっている。払い落とし性の試験にあたっては、ダスト供給装置５からＪＩＳ１５種の標準粉体を２０ｇ／ｍ３の濃度になるように供給し、フィルター通過速度が１．５ｍ／分になるように流量調整バルブ３で風量を調整して、ダストを一定濃度で連続的に供給し、試験サンプルＭの圧力損失が１，５００Ｐａに到達したら、パルスジェット装置６から、０．５ＭＰａの圧縮空気を０．１ｓｅｃ噴射し、試験サンプルＭに付着した粉塵（ダスト）を払い落とした。この払い落とし回数が２００回に到達するまでの運転時間（ｈｒ）をそれぞれ測定し、３回の試験結果の平均値を求め、一の位を四捨五入して運転時間（ｈｒ）を求めた。【００８５】
（１４）不織布の集塵性能試験
不織布の任意の部分から、１５ｃｍ×１５ｃｍの試験サンプルを３個採取し、ＶＤＩ／ＤＩＮ ３９２６を参考標準として集塵性能試験を実施した。試験サンプルの濾過面積は０．０１６ ｍ２とし、濾過風速は２．０ｍ／分とした。ダスト粉塵は、酸化アルミニウム粒子（Ｄｐ５０：１０．５μｍ）を使用し、試験サンプル上流の粉塵濃度が５ｇ／ｍ３となるよう一定濃度で供給した。【００８６】
まず、パルスジェット装置から、５秒おきに、０．５ＭＰａの圧縮空気を１秒間噴射するエージングサイクルを５，０００回実施した。続いて、エージング後の性能評価として、圧力損失が１，０００Ｐａに達した後、０．５ＭＰａの圧縮空気を１秒間噴射する払い落としサイクル（ただし、前回の払い落としから５秒未満で圧力損失が１，０００Ｐａに達した場合は、５秒後までダスト負荷した後に圧縮空気を噴射する。）を３０回繰り返し、試験中の粉漏れ濃度から次の式に基づいて集塵率を計算し、３回の測定の平均をとり、小数点以下第四位を四捨五入した。【００８７】
集塵率（％）＝（１−粉漏れ濃度（ｇ／ｍ３）／上流の粉塵濃度（ｇ／ｍ３））×１００
また、３０回目の払い落としサイクルの、パルスジェットを噴射してから５秒後の圧力損失を測定し、３回の測定の平均をとり、小数点以下第一位を四捨五入した。【００８８】
（１５）不織布の部分的凹部
スパンボンド不織布から、ランダムに１０ｍｍ角の小片サンプル５個を採取し、キーエンス社製ワンショット３Ｄ形状測定器ＶＲ−３０００を用いて、各小片サンプルについて、幅方向４．５ｍｍ以上×長手方向４．５ｍｍ以上の３Ｄ形状測定を行った。続いて、各小片サンプルの両面について、面内の最も高さの高い場所を基準点（深さ０ｍｍ）とし、基準点を通る幅方向４．５ｍｍおよび長手方向４．５ｍｍの直線について、直線上に深さが０．１ｍｍ以上である部分が、面方向に０．２ｍｍ以上連続する箇所（すなわち、深さが０．１ｍｍ以上の部分的凹部）の有りと無しを調査した。表１には、いずれの小片サンプルでもこのような深さが０．１ｍｍ以上の部分的凹部が存在しない場合は「無し」と記載し、片面にのみ、少なくとも１つの小片サンプルに深さが０．１ｍｍ以上の部分的凹部が存在する場合は「片面有り」と記載し、それぞれの面について、少なくとも１つの小片サンプルに深さが０．１ｍｍ以上の部分的凹部が存在する場合は「両面有り」と記載した。【００８９】
［実施例１］
水分率５０質量ｐｐｍ以下に乾燥した固有粘度ＩＶが０．６５で、融点が２６０℃のポリエチレンテレフタレート（ＰＥＴ）と、水分率５０質量ｐｐｍ以下に乾燥した固有粘度ＩＶが０．６４、イソフタル酸共重合率が１１モル％で、融点が２３０℃の共重合ポリエステル（ＣＯ−ＰＥＴ）を、それぞれ２９５℃と２８０℃の温度で溶融し、ポリエチレンテレフタレートを芯成分とし、共重合ポリエステルを鞘成分として、口金温度が２９５℃で、芯：鞘＝８０：２０の質量比率で細孔から紡出した後、エアサッカーにより紡糸速度４，３００ｍ／分で円形断面形状のフィラメントを紡糸し、移動するネットコンベアー上に、単繊維繊度が２．１デシテックス（ｄｔｅｘ）の繊維ウェブを捕集した上に単繊維繊度が３．４デシテックス（ｄｔｅｘ）の繊維ウェブを捕集した。捕集した繊維ウェブに、熱風温度２５０℃のエアーを通過させた後、一対のフラットロールからなるカレンダーロールによって、温度が１８０℃で、線圧が５０ｋｇ／ｃｍの条件で熱接着し、表層部の単繊維繊度が２．１デシテックス（ｄｔｅｘ）裏層部の単繊維繊度が３．４デシテックス（ｄｔｅｘ）の繊維からなる、目付が２００ｇ／ｍ２のスパンボンド不織布を得た。得られたスパンボンド不織布の目付あたりのタテ引張強力は４．３（Ｎ／５ｃｍ）／（ｇ／ｍ２）であり、目付あたりのヨコ引張強力は３．０（Ｎ／５ｃｍ）／（ｇ／ｍ２）であった。結果を表１に示す。【００９０】
［実施例２］
ネットコンベアー速度の速度を調整して目付を２６０ｇ／ｍ２に変更したこと以外は、実施例１と同じ条件で、表層部の単繊維繊度が２．１デシテックス（ｄｔｅｘ）裏層部の単繊維繊度が３．４デシテックス（ｄｔｅｘ）の繊維からなる、目付が２６０ｇ／ｍ２のスパンボンド不織布を得た。結果を表１に示す。【００９１】
［実施例３］
水分率５０質量ｐｐｍ以下に乾燥した固有粘度ＩＶが０．６５で、融点が２６０℃のポリエチレンテレフタレート（ＰＥＴ）と、水分率５０質量ｐｐｍ以下に乾燥した固有粘度がＩＶ０．６４、イソフタル酸共重合率が１１モル％で、融点が２３０℃の共重合ポリエステル（ＣＯ−ＰＥＴ）を、それぞれ２９５℃と２８０℃の温度で溶融し、ポリエチレンテレフタレートを芯成分とし、共重合ポリエステルを鞘成分として、口金温度２９５℃、芯：鞘＝８０：２０の質量比率で細孔から紡出した後、エアサッカーにより紡糸速度４，３００ｍ／分で円形断面形状のフィラメントを紡糸し、移動するネットコンベアー上に、単繊維繊度が２．１デシテックス（ｄｔｅｘ）の繊維ウェブを捕集した上に単繊維繊度が３．４デシテックス（ｄｔｅｘ）の繊維ウェブを捕集した。捕集した繊維ウェブを、熱風温度２５０℃のエアーを繊維シートに通過させた後、樹脂ベルトからなる２台のベルトコンベアの間に挟み込んで温度１７０℃の条件下で熱処理し、表層部の単繊維繊度が２．１デシテックス（ｄｔｅｘ）裏層部の単繊維繊度が３．４デシテックス（ｄｔｅｘ）の繊維からなる、目付が２００ｇ／ｍ２のスパンボンド不織布を得た。得られたスパンボンド不織布の目付あたりのタテ引張強力は４．０（Ｎ／５ｃｍ）／（ｇ／ｍ２）であり、目付あたりのヨコ引張強力は２．７（Ｎ／５ｃｍ）／（ｇ／ｍ２）であった。結果を表１に示す。【００９２】
[実施例４]
ネットコンベアーの速度を調整して目付を１５０ｇ／ｍ２に変更したこと以外は、実施例３と同じ条件で、表層部の単繊維繊度が２．１デシテックス（ｄｔｅｘ）裏層部の単繊維繊度が３．４デシテックス（ｄｔｅｘ）の繊維からなる、目付が１５０ｇ／ｍ２のスパンボンド不織布を得た。結果を表１に示す。【００９３】
[実施例５]
吐出量を調整して単糸繊維繊度を変更したこと以外は、実施例３と同じ条件で、移動するネットコンベアー上に、単繊維繊度が１．５デシテックス（ｄｔｅｘ）の繊維ウェブを捕集した上に単繊維繊度が４．０デシテックス（ｄｔｅｘ）の繊維ウェブを捕集して、表層部の単繊維繊度が１．５デシテックス（ｄｔｅｘ）裏層部の単繊維繊度が４．０デシテックス（ｄｔｅｘ）の繊維からなる、目付が２００ｇ／ｍ２のスパンボンド不織布を得た。結果を表１に示す。【００９４】
得られた不織布の特性は表１に示したとおりであり、実施例１、２、３、４および３５のスパンボンド不織布は、いずれも通気性と剛性に優れており、またダスト払い落としテスト後のフィルターは、表面にダストが付着しているものの、目詰まり等はなく、いずれも良好であった。結果を表１に示す。【００９５】
【表１】
2018221122.tif 000002
【００９６】
［比較例１］
単繊維繊度を２．７デシテックスとしたこと以外は、実施例１と同じ条件で、目付が２００ｇ／ｍ２のスパンボンド不織布を得た。得られたスパンボンド不織布の目付あたりのタテ引張強力は４．４（Ｎ／５ｃｍ）／（ｇ／ｍ２）であり、目付あたりのヨコ引張強力は３．１（Ｎ／５ｃｍ）／（ｇ／ｍ２）であった。結果を表２に示す。【００９７】
［比較例２］
ネットコンベアー速度の速度を調整して目付を２６０ｇ／ｍ２に変更したこと以外は、実施例１と同じ条件で単繊維繊度が２．７デシテックスの繊維からなる、目付が２６０ｇ／ｍ２のスパンボンド不織布を得た。結果を表２に示す。【００９８】
［比較例３］
熱風温度２５０℃のエアーを繊維シートに通過させた後、樹脂ベルトからなる２台のベルトコンベアの間に挟み込んで温度１７０℃の条件下で熱処理したこと以外は、実施例１と同じ条件で、単繊維繊度が２．７デシテックスの繊維からなる、目付が２００ｇ／ｍ２のスパンボンド不織布を得た。結果を表２に示す。【００９９】
［比較例４］
水分率５０質量ｐｐｍ以下に乾燥した固有粘度ＩＶが０．６５で、融点が２６０℃のポリエチレンテレフタレート（ＰＥＴ）と、水分率５０質量ｐｐｍ以下に乾燥した固有粘度ＩＶ０．６４、イソフタル酸共重合率１１モル％で融点２３０℃の共重合ポリエステル（ＣＯ−ＰＥＴ）を、それぞれ２９５℃と２８０℃の温度で溶融し、ポリエチレンテレフタレートを芯成分とし、共重合ポリエステルを鞘成分として、口金温度２９５℃、芯：鞘＝８０：２０の質量比率で細孔から紡出した後、圧着面積率１８％となるエンボスロールで、温度が２００℃で、線圧が６０ｋｇ／ｃｍの条件で熱接着し、単繊維繊度が２．７デシテックスの繊維からなる、目付が２００ｇ／ｍ２のスパンボンド不織布を得た。結果を表２に示す。【０１００】
［比較例５］
移動するネットコンベアー上に、単繊維繊度が２．１デシテックス（ｄｔｅｘ）の繊維ウェブを捕集した上に単繊維繊度が３．４デシテックス（ｄｔｅｘ）の繊維ウェブを捕集して、表層部の単繊維繊度が２．１デシテックス（ｄｔｅｘ）裏層部の単繊維繊度が３．４デシテックス（ｄｔｅｘ）の繊維としたこと以外は、比較例４と同じ条件で圧着面積率１８％となるエンボスロールで、温度が２００℃で、線圧が６０ｋｇ／ｃｍの条件で熱接着し、目付が２００ｇ／ｍ２のスパンボンド不織布を得た。結果を表２に示す。【０１０１】
［比較例６］
ネットコンベアー速度の速度を調整して目付を２６０ｇ／ｍ２に変更し、圧着面積率１０％となるエンボスロールで熱接着したこと以外は比較例５と同じ条件で、表層部の単繊維繊度が２．１デシテックス（ｄｔｅｘ）裏層部の単繊維繊度が３．４デシテックス（ｄｔｅｘ）の繊維からなる、目付が２６０ｇ／ｍ２のスパンボンド不織布を得た。結果を表２に示す。【０１０２】
[比較例７]
ネットコンベアー速度の速度を調整して目付を１５０ｇ／ｍ２に変更したこと以外は、実施例３と同じ条件で単繊維繊度が２．７デシテックスの繊維からなる、目付が１５０ｇ／ｍ２のスパンボンド不織布を得た。結果を表２に示す。【０１０３】
[比較例８]
吐出量を調整して単繊維繊度を変更したこと以外は、実施例３と同じ条件で、移動するネットコンベアー上に、単繊維繊度が０．８デシテックス（ｄｔｅｘ）の繊維ウェブを捕集した上に単繊維繊度が４．５デシテックス（ｄｔｅｘ）の繊維ウェブを捕集して、表層部の単繊維繊度が１．０デシテックス（ｄｔｅｘ）裏層部の単繊維繊度が４．０デシテックス（ｄｔｅｘ）の繊維からなる、目付が２００ｇ／ｍ２のスパンボンド不織布を得た。結果を表２に示す。【０１０４】
[比較例９]
吐出量を調整して単繊維繊度を変更したこと以外は、実施例３と同じ条件で、移動するネットコンベアー上に、単繊維繊度が２．１デシテックス（ｄｔｅｘ）の繊維ウェブを捕集した上に単繊維繊度が６．０デシテックス（ｄｔｅｘ）の繊維ウェブを捕集して、表層部の単繊維繊度が２．１デシテックス（ｄｔｅｘ）裏層部の単繊維繊度が６．０デシテックス（ｄｔｅｘ）の繊維からなる、目付が２００ｇ／ｍ２のスパンボンド不織布を得た。結果を表２に示す。【０１０５】
【表２】
2018221122.tif 000003
【０１０６】
得られた不織布の特性は、表１と表２に示したとおりであるが、比較例１、２、３、７は、通気量が同等であるものの表層部の緻密性が不足しているためダストが詰まりやすく、ダスト払い落とし性も劣位であった。また、比較例４は、部分的凹部を有しているため、通気性が低く高圧損であり、ダスト払い落とし性が不良であった。また、比較例５は、単繊維繊度の構成を本発明と同様にしたものの、部分的凹部を有しているため、通気性が低く高圧損であり、ダスト払い落とし性が不良であった。また、比較例６は、圧着面積率を１０％としたものの、ダスト払い落とし性も不良であった。比較例８は、表層部の単繊維繊度を１．５ｄｔｅｘ未満であるため、集塵率は良好であるものの通気性が低く高圧損であった。比較例９は、裏層部の単繊維繊度を５ｄｔｅｘより太繊度であるため、通気性が高く低圧損であるものの、ダスト払い落とし性が不良であった。【０１０７】
また、集塵性能試験の結果、本発明のフィルター用スパンボンド不織布は、比較例１、２、３、７のスパンボンド不織布と比較して圧力損失が小さく、かつ集塵率にも優れたものであり、ダスト払い落とし性において優れたものであった。
【符号の説明】
【０１０８】
１：サンプルホルダー
２：流量計
３：流量調整バルブ
４：ブロワ
５：ダスト供給装置
６：パルスジェット装置
７：圧力計
Ｍ：測定サンプル
【産業上の利用可能性】
【０１０９】
本発明のフィルター用スパンボンド不織布は、優れた剛性、通気性およびダスト払い落とし性を有するため、プリーツフィルターとして好適に用いることができる。さらに、優れた剛性と通気性を活かし、ＰＴＦＥ膜やナノファイバーのような濾材と貼り合わせるプリーツフィルター基材としても好適に用いることができる。
【図１】
2018221122.tif 000004
【国際調査報告】
2018221122.tif 000005
2018221122.tif 000006
2018221122.tif 000007
2018221122.tif 000008